(57)【要約】【課題】  蓄熱槽を利用した暖房運転時に、蓄熱槽で蒸発した冷媒が室外熱交換器で再凝縮するのを防止し、蓄熱媒体に蓄えられた熱量を室外熱交換器で放出することなく有効に利用することを可能とした蓄熱式空気調和装置を得る。【解決手段】  圧縮機４と四方切換弁５と室外熱交換器６を具備した室外機１と、蓄熱槽熱交換器７と蓄熱媒体８を具備した蓄熱槽２と、室内熱交換器９と室内絞り機構１０を具備した室内機３とを、液配管とガス配管の２本の配管で接続した２管式の蓄熱式空気調和装置において、室外熱交換器６をバイパスするバイパス配管１１と、このバイパス配管を流れる冷媒の流れを制御するバイパス配管制御弁１２、１３とを備え、蓄熱槽２を利用した暖房運転時にバイパス配管制御弁１２、１３を制御することにより、室外熱交換器６を冷媒がバイパスするようにしたものである。【選択図】  図１
2005042980.tif 000002
【特許請求の範囲】
【請求項１】
圧縮機と四方切換弁と室外熱交換器を具備した室外機と、蓄熱槽熱交換器と蓄熱媒体を具備した蓄熱槽と、室内熱交換器と室内絞り機構を具備した室内機とを、液配管とガス配管の２本の配管で接続した２管式の蓄熱式空気調和装置において、前記室外熱交換器をバイパスするバイパス配管と、このバイパス配管を流れる冷媒の流れを制御するバイパス配管制御弁とを備え、蓄熱槽を利用した暖房運転時に前記バイパス配管制御弁を制御することにより、室外熱交換器を冷媒がバイパスするようにしたことを特徴とする蓄熱式空気調和装置。
【請求項２】
バイパス配管制御弁は、バイパス配管途中に設けられたバイパス弁と、室外熱交換器の暖房運転時に冷媒が流入する入口側に設けられた熱交換器弁とで構成され、蓄熱槽を利用した暖房運転時に前記バイパス弁を開として、前記熱交換器弁を閉とすることにより、室外熱交換器を冷媒がバイパスするようにしたことを特徴とする請求項１記載の蓄熱式空気調和装置。
【請求項３】
バイパス配管制御弁は、バイパス配管の暖房運転時に冷媒が流入する入口側、室外熱交換器の暖房運転時に冷媒が流入する入口側、及び畜熱槽熱交換器の暖房運転時に冷媒が流出する出口側にそれぞれ接続された三方切換弁により構成され、蓄熱槽を利用した暖房運転時に前記三方切換弁を用いて、室外熱交換器を冷媒がバイパスするようにしたことを特徴とする請求項１記載の蓄熱式空気調和装置。
【請求項４】
バイパス配管制御弁は、バイパス配管の暖房運転時に冷媒が流入する入口側２個所、室外熱交換器の暖房運転時に冷媒が流入する入口側、及び畜熱槽熱交換器の暖房運転時に冷媒が流出する出口側にそれぞれ接続された第２の四方切換弁と、バイパス配管の入口側２個所うちの一方の配管に設けられた逆止弁とで構成され、四方切換弁を用いて、蓄熱槽を利用した暖房運転時に第２の四方切換弁を用いて、室外熱交換器を冷媒がバイパスすると共に、前記四方切換弁の一端と前記バイパス配管の一端を逆止弁を介して接続することにより、霜取運転時に冷媒が室内機および蓄熱槽を経由しない冷凍サイクルを形成することを特徴とする請求項１記載の蓄熱式空気調和装置。
【請求項５】
圧縮機と四方切換弁と室外熱交換器を具備した室外機と、蓄熱槽熱交換器と蓄熱媒体を具備した蓄熱槽と、室内熱交換器と室内絞り機構を具備した室内機とを、液配管とガス配管の２本の配管で接続した２管式の蓄熱式空気調和装置において、前記室外熱交換器と前記蓄熱槽熱交換器の間に室外絞り機構を備え、蓄熱槽を利用した暖房運転時に前記室外絞り機構を用いて冷媒を減圧することにより、前記蓄熱槽熱交換器に流入する冷媒の温度が前記蓄熱媒体の温度よりも低く、かつ前記室外熱交換器に流入する冷媒の温度が前記室外熱交換器の周囲温度よりも低くなるようにしたことを特徴とする蓄熱式空気調和装置。
【請求項６】
冷媒としてＲ４１０Ａを用いることにより、室外絞り機構の弁口径を小さくしたことを特徴とする請求項４記載の畜熱式空気調和装置。
【発明の詳細な説明】
【技術分野】
【０００１】
この発明は、室外機と蓄熱槽と室内機を冷媒配管で接続する蓄熱式空気調和装置に係わり、蓄熱槽を利用した暖房運転の運転効率の改良に関する。
【背景技術】
【０００２】
従来の蓄熱式空気調和装置においては、冷媒回路に流れる冷媒の全てが畜熱槽熱交換器を通過するようにし、かつ畜熱媒体から回収する畜冷熱を調節できるようにすることにより、畜冷熱の有効利用率を向上させ、使用電力量の低減を図ったものがある（例えば、特許文献１参照）。
【０００３】
【特許文献１】特開平１１−２０１５０７号公報
【発明の開示】
【発明が解決しようとする課題】
【０００４】
従来の畜熱式空気調和装置では、暖房運転時の冷凍サイクルにおいて、蓄熱媒体の温度が室外熱交換器の周囲の空気温度よりも高く、蓄熱槽熱交換器出口の冷媒温度が室外熱交換器の周囲温度よりも高くなる場合には、蓄熱槽熱交換器で蒸発した冷媒が、室外熱交換器で再凝縮することになる。そのため、蓄熱媒体に蓄えられた熱量が、室外熱交換器で室外機の周囲に放出されてしまい、蓄熱媒体に蓄えられた熱量が、暖房運転時に有効に活用できないという問題点があった。
【０００５】
また従来の霜取運転時の冷凍サイクルでは、霜取運転時に冷媒が蓄熱槽および室内機を通過するため、室内機から冷媒音が発生するという問題が発生したり、また室外機と室内機を接続するガス配管が霜取運転中に冷却されることにより、霜取終了後の暖房運転開始時は圧縮機から吐出された冷媒が冷却されたガス配管で凝縮されるため、高温高圧のガス冷媒が室内機に到達するのが遅れ、霜取復帰時の暖房立ち上がりが悪くなるという問題が発生したり、また冷媒が蓄熱槽を通過することにより、蓄熱槽内の液冷媒が霜取運転時に室外機に一気に流入するため、余剰冷媒の処理が困難であるという問題が発生した。
【０００６】
この発明は、上述した問題点を解消するためになされたもので、蓄熱槽を利用した暖房運転時に、蓄熱槽で蒸発した冷媒が室外熱交換器で再凝縮するのを防止することにより、蓄熱媒体に蓄えられた熱量を、室外熱交換器で放出することなく有効に利用することを可能とし、また霜取運転時に冷媒が室内機および蓄熱槽を通過しないようにすることにより、室内機から発生する冷媒音を抑制し、霜取復帰時の暖房立ち上がりを改善し、霜取運転時の余剰冷媒処理を容易にする蓄熱式空気調和の提供を目的している。
【課題を解決するための手段】
【０００７】
この発明に係わる蓄熱式空気調和装置は、圧縮機と四方切換弁と室外熱交換器を具備した室外機と、蓄熱槽熱交換器と蓄熱媒体を具備した蓄熱槽と、室内熱交換器と室内絞り機構を具備した室内機とを、液配管とガス配管の２本の配管で接続した２管式の蓄熱式空気調和装置において、室外熱交換器をバイパスするバイパス配管と、このバイパス配管を流れる冷媒の流れを制御するバイパス配管制御弁とを備え、蓄熱槽を利用した暖房運転時にバイパス配管制御弁を制御することにより、室外熱交換器を冷媒がバイパスするようにしたものである。
【０００８】
また、圧縮機と四方切換弁と室外熱交換器を具備した室外機と、蓄熱槽熱交換器と蓄熱媒体を具備した蓄熱槽と、室内熱交換器と室内絞り機構を具備した室内機とを、液配管とガス配管の２本の配管で接続した２管式の蓄熱式空気調和装置において、室外熱交換器と蓄熱槽熱交換器の間に室外絞り機構を備え、蓄熱槽を利用した暖房運転時に室外絞り機構を用いて冷媒を減圧することにより、蓄熱槽熱交換器に流入する冷媒の温度が蓄熱媒体の温度よりも低く、かつ室外熱交換器に流入する冷媒の温度が室外熱交換器の周囲温度よりも低くなるようにしたものである。
【発明の効果】
【０００９】
この発明は以上説明したように、２管式の蓄熱式空気調和装置において、室外熱交換器をバイパスするバイパス配管と、このバイパス配管を流れる冷媒の流れを制御するバイパス配管制御弁とを備え、蓄熱槽を利用した暖房運転時にバイパス配管制御弁を制御することにより、室外熱交換器を冷媒がバイパスするようにしたので、蓄熱槽で蒸発した冷媒が室外熱交換器を通過することなく圧縮機に到達するため、蓄熱槽内の蓄熱媒体の温度が室外熱交換器の周囲温度より低い場合にも、冷媒が室外熱交換器で再凝縮することが無くなり、蓄熱槽に蓄えられた熱量を、室外熱交換器で放出することなく有効に利用することが可能となる効果がある。
【００１０】
また、室外熱交換器と蓄熱槽熱交換器の間に室外絞り機構を備え、蓄熱槽を利用した暖房運転時に室外絞り機構を用いて冷媒を減圧することにより、蓄熱槽熱交換器に流入する冷媒の温度が蓄熱媒体の温度よりも低く、かつ室外熱交換器に流入する冷媒の温度が室外熱交換器の周囲温度よりも低くなるようにしたので、蓄熱槽で蒸発した冷媒が、室外絞り機構により減圧されて室外熱交換器周囲温度よりも低温となった状態で室外熱交換器に流入し、蓄熱槽と室外熱交換器の両方が蒸発器として作用するため、蓄熱槽内の蓄熱媒体の温度が室外熱交換器の周囲温度より低い場合にも、冷媒が室外熱交換器で再凝縮することが無くなり、蓄熱槽に蓄えられた熱量を、室外熱交換器で放出することなく有効に利用す
ることが可能となる効果がある。    
【発明を実施するための最良の形態】
【００１１】
実施の形態１．
図１はこの発明の実施の形態１における畜熱式空気調和装置を示す冷媒回路図である。図１において、畜熱式空気調和装置は、室外機１と、蓄熱槽２と、室内機３とから構成されている。そして、圧縮機４、四方切換弁５、室外熱交換器６、蓄熱槽熱交換器７、蓄熱媒体８、室内熱交器９及び室内絞り機構１０により冷媒回路が構成されている。また、この冷媒回路には、更に室外熱交換器６をバイパスするためのバイパス配管１１、このバイパス配管１１の途中に設けられたバイパス弁１２及び室外熱交換器６の暖房運転時に冷媒が流入する入口側に設けられた熱交換器弁１３が備えられている。このバイパス弁１２及び熱交換器弁１３とでバイパス配管制御弁が構成されている。
【００１２】
図１の冷媒回路図において、蓄熱槽を利用した暖房運転時の冷凍サイクルにおける冷媒の流れについて説明する。
圧縮機４から吐出された高温高圧のガス冷媒は、四方切換弁５を介して室内熱交換器９に流入し、室内熱交換器９周囲の空気と熱交換して凝縮して、室内絞り機構１０で減圧されて蓄熱槽２に流入する。蓄熱槽２に流入した冷媒は、蓄熱槽熱交換器７で蓄熱媒体８と熱交換して蒸発して室外機１に流入する。室外機１において、バイパス弁１２は開、熱交換器弁１３は閉となっているため、室外機１に流入した冷媒は、室外熱交換器６は通過せずにバイパス配管１１を通過して、四方切換弁５を介して圧縮機４に吸入される。
【００１３】
なお、冷房運転時、もしくは蓄熱槽２を利用しない暖房運転時、もしくは蓄熱槽２を利用した暖房運転時でも、室外熱交換器６の入口の冷媒温度が室外熱交換器６の周囲温度よりも低くなり蓄熱槽熱交換器７で蒸発した冷媒が室外熱交換器６で再凝縮することがないため、蓄熱媒体８に蓄えられた熱量が、室外熱交換器６で室外機１の周囲に放出されないような条件の場合は、バイパス弁１２を閉、熱交換器弁１３を開とすることにより、バイパス配管１１に冷媒を通過させずに室外熱交換器６に冷媒を通過させれば、従来通り室外熱交換器６での熱交換が可能となる。
【００１４】
一般に、蓄熱槽２を利用した暖房運転時に、蓄熱媒体８の温度が室外熱交換器６の周囲の空気温度よりも高く、蓄熱槽熱交換器７出口の冷媒温度が室外熱交換器６の周囲温度よりも高くなる場合には、蓄熱槽熱交換器７で蒸発した冷媒が、室外熱交換器６で再凝縮することになる。しかし、この発明のような冷凍サイクルを形成することにより、蓄熱槽２で蒸発した冷媒は、室外熱交換器６を通過することなく圧縮機４に到達するため、室外熱交換器６で再凝縮することが無くなり、蓄熱媒体８に蓄えられた熱量を、室外熱交換器６で放出することなく有効に利用することが可能となる。
実施の形態２.
【００１５】
図２はこの発明の実施の形態２における畜熱式空気調和装置を示す冷媒回路図である。図２において、１〜１１は実施の形態１と同一であるので、説明を省略する。この冷媒回路には、室外熱交換器６をバイパスするためのバイパス配管１１の暖房運転時に冷媒が流入する入口側と、室外熱交換器６の暖房運転時に冷媒が流入する入口側と、畜熱槽熱交換器７の暖房運転時に冷媒が流出する出口側にそれぞれポートが接続された三方切換弁１４が備えられている。この三方切換弁１４がバイパス配管制御弁を構成する。
【００１６】
図２の冷媒回路図において、蓄熱槽を利用した暖房運転時の冷凍サイクルにおける冷媒の流れについて説明する。  
圧縮機４から吐出された高温高圧のガス冷媒は、四方切換弁５を介して室内熱交換器９に流入し、室内熱交換器９周囲の空気と熱交換して凝縮して、室内絞り機構１０で減圧されて蓄熱槽２に流入する。蓄熱槽２に流入した冷媒は、蓄熱槽熱交換器７で蓄熱媒体８と熱交換して蒸発して室外機１に流入する。室外機１において、三方切換弁１４は室外機１に流入した冷媒がバイパス配管１１に連通するように切換えられているため、室外機１に流入した冷媒は、室外熱交換器６は通過せずにバイパス配管１１を通過して、四方切換弁５を介して圧縮機４に吸入される。
【００１７】
なお、冷房運転時、もしくは蓄熱槽２を利用しない暖房運転時、もしくは蓄熱槽２を利用した暖房運転時でも、室外熱交換器６の入口（畜熱槽熱交換器７の出口）の冷媒温度が室外熱交換器６の周囲温度よりも低くなり蓄熱槽熱交換器７で蒸発した冷媒が室外熱交換器６で再凝縮することがないため、蓄熱媒体８に蓄えられた熱量が、室外熱交換器６で室外機１の周囲に放出されないような条件の場合は、三方切換弁１４を室外機熱交換器６に連通するように切換えることにより、バイパス配管１１に冷媒を通過させずに室外熱交換器６に冷媒を通過させれば、従来通り室外熱交換器６での熱交換が可能となる。
【００１８】
この発明のように冷凍サイクルを構成することにより、実施の形態１におけるバイパス弁１２と熱交換器弁１３と同等の機能を、三方切換弁１４のみを用いて実現することが可能となるため、部品点数の低減による冷凍サイクルの信頼性向上、省スペース化、低コスト化等の効果が得られる。
実施の形態３．
【００１９】
図３はこの発明の実施の形態３における畜熱式空気調和装置を示す冷媒回路図である。図３において、１〜１１は実施の形態１と同一であるので、説明を省略するが、四方切換弁５は第１の四方切換弁となる。この冷媒回路には、室外熱交換器６をバイパスするためのバイパス配管１１の暖房運転時に冷媒が流入する入口側２個所と、室外熱交換器６の暖房運転時に冷媒が流入する入口側と、畜熱槽熱交換器７の暖房運転時に冷媒が流出する出口側とにそれぞれポートが接続された第２の四方切換弁１５が備えられている。更に、バイパス配管１１の入口側２個所うちの一方の配管には逆止弁１６が設けられている。この第２の四方切換弁１５及び逆止弁１６とでバイパス配管制御弁が構成されている。
【００２０】
図３の冷媒回路図において、蓄熱槽を利用した暖房運転時の冷凍サイクルにおける冷媒の流れについて説明する。
圧縮機４から吐出された高温高圧のガス冷媒は、第１の四方切換弁５を介して室内熱交換器９に流入し、室内熱交換器９周囲の空気と熱交換して凝縮して、室内絞り機構１０で減圧されて蓄熱槽２に流入する。蓄熱槽２に流入した冷媒は、蓄熱槽熱交換器７で蓄熱媒体８と熱交換して蒸発して室外機１に流入する。室外機１において、第２の四方切換弁１５は図３に示すように切換えられている。ここで逆止弁１６は、図３のように第２の四方切換弁１５を切換えた時に、閉止側が冷媒の流れの上流、開放側が冷媒の流れの下流となるように設置されているため、図３の冷凍サイクルでは閉となる。よって室外機１に流入した冷媒は、室外熱交換器６は通過せずにバイパス配管１１を通過して、第１の四方切換弁５を介して圧縮機４に吸入される。
【００２１】
次に、蓄熱槽熱交換器７出口の冷媒温度が室外熱交換器６の周囲温度よりも低く、室外熱交換器６に冷媒を通過させる場合の冷凍サイクルを図４により説明する。
圧縮機４から吐出された高温高圧のガス冷媒は、第１の四方切換弁５を介して室内熱交換器９に流入し、室内熱交換器９周囲の空気と熱交換して凝縮して、室内絞り機構１０で減圧されて蓄熱槽２に流入する。蓄熱槽２に流入した冷媒は、蓄熱槽熱交換器７で蓄熱媒体８と熱交換して蒸発して室外機１に流入する。室外機１において、第２の四方切換弁１５は図４に示すように切換えられているため、第２の四方切換弁１５からバイパス配管１１への冷媒回路は、閉回路となっており、冷媒は流入しない。よって室外機１に流入した冷媒は、バイパス配管１１は通過せずに室外熱交換器６を通過して蒸発し、第１の四方切換弁５を介して圧縮機４に吸入される。
【００２２】
次に、冷房運転時の冷凍サイクルを図５により説明する。
圧縮機４から吐出された高温高圧のガス冷媒は、第１の四方切換弁５を介して室外熱交換器６に流入し、室外熱交換器６周囲の空気と熱交換して凝縮して、第２の四方切換弁１５を介して蓄熱槽２に流入する。蓄熱槽２に流入した冷媒は、蓄熱槽熱交換器７で蓄熱媒体８と熱交換して過冷却度が上昇した状態で、室内機３に流入する。室内機３に流入した冷媒は室内絞り機構１０で減圧されて低温低圧の二相冷媒となり、室内熱交換器９で蒸発して室外機１に流入する。室外機１において、第１の四方切換弁５は図５に示すように切換えられているため、第１の四方切換弁５からバイパス配管１１への冷媒回路は、閉回路となっており、冷媒は流入しない。よって室外機１に流入した冷媒は、バイパス配管１１は通過せずに、第１の四方切換弁５を介して圧縮機４に吸入される。
【００２３】
次に、この実施の形態３における、霜取運転時の冷凍サイクルを図６により説明する。
圧縮機４から吐出された高温高圧のガス冷媒は、第１の四方切換弁５を介して室外熱交換器６に流入し、室外熱交換器６の除霜を行いつつ自身は凝縮して、第２の四方切換弁１５を介して逆止弁１６およびバイパス配管１１を通過し、第１の四方切換弁５を通過して圧縮機４に吸入される。なお、除霜運転時は室内絞り機構１０を全閉としているため、室内機３へ向かう冷媒の流れは発生しない。
【００２４】
この実施の形態３のような冷凍サイクルを形成することにより、実施の形態１で説明した効果と同等の効果を得ると同時に、霜取運転時に冷媒が蓄熱槽２および室内機３を通過せずに、室外機１の内部のみの冷媒の流れで霜取運転を行うことが可能となるため、霜取運転時に室内機から発生する冷媒音の解消、霜取復帰時の暖房立ち上がりの改善、及び霜取り運転中の余剰冷媒量処理の容易化等の効果がある。      
【００２５】
実施の形態４．  
図７はこの発明の実施の形態４における畜熱式空気調和装置を示す冷媒回路図である。図７において、１〜１０は実施の形態１と同一であるので、説明を省略する。この冷媒回路には、室外熱交換器６と蓄熱槽熱交換器７との間に室外絞り機構１７が設けられている。
【００２６】
図７の冷媒回路において、蓄熱槽を利用した暖房運転時の冷凍サイクルにおける冷媒の流れについて説明する。
圧縮機４から吐出された高温高圧のガス冷媒は、四方切換弁５を介して室内熱交換器９に流入し、室内熱交換器９周囲の空気と熱交換して凝縮して、室内絞り機構１０で減圧されて蓄熱媒体８よりも低温となった状態で蓄熱槽２に流入する。蓄熱槽２に流入した冷媒は、蓄熱槽熱交換器７で蓄熱媒体８と熱交換して蒸発して室外機１に流入する。室外機１に流入した冷媒は、室外絞り機構１７で減圧されて室外熱交換器６の周囲温度よりも低温となった状態で室外熱交換器６に流入する。室外熱交換器６に流入した冷媒は、室外熱交換器６周囲の空気と熱交換して蒸発して、四方切換弁５を介して圧縮機４に吸入される。
【００２７】
一般に、蓄熱槽を利用した暖房運転時に、蓄熱媒体８の温度が室外熱交換器６の周囲の空気温度よりも高く、蓄熱槽熱交換器７出口の冷媒温度が室外熱交換器６の周囲温度よりも高くなる場合には、蓄熱槽熱交換器７で蒸発した冷媒が、室外熱交換器６で再凝縮することになる。しかし、この発明のような冷凍サイクルを形成することにより、蓄熱槽２に流入する冷媒の温度を蓄熱媒体８の温度よりも低く、かつ室外熱交換器６に流入する冷媒の温度を室外熱交換器６の周囲温度よりも低くすることで、蓄熱槽熱交換器７と室外熱交換器６の両方で冷媒を蒸発させることが可能となる。よって従来のように蓄熱槽２で蒸発した冷媒が室外熱交換器６で再凝縮することが無くなり、蓄熱媒体８に蓄えられた熱量を、室外熱交換器６で放出することなく有効に利用することが可能となる。
なお、上述の冷凍サイクルの状態を表す圧力−エンタルピ線図を図８に示す。図中、Ａは圧縮機４の出口、Ｂは室内熱交換器９の出口、Ｃは室内絞り機構１０の出口、Ｄは畜熱槽熱交換器７の出口、Ｅは室外絞り機構１７の出口、Ｆは室外熱交換器６の出口をそれぞれ示す。      
【００２８】
実施の形態５．
上述した実施の形態４では、蓄熱槽熱交換器７での冷媒蒸発温度と、室外熱交換器６での冷媒蒸発温度を制御するために、室外絞り機構１７を用いて気液二相状態の冷媒を減圧する必要がある。しかし、一般に気液二相流を所定の圧力だけ減圧するためには、液単相流を減圧する場合に比べて大口径の減圧弁を用いる必要がある。
【００２９】
そこで、この実施の形態５では、実施の形態４における冷凍サイクルに封入する冷媒として、Ｒ４１０Ａを用いたものである。Ｒ４１０Ａは、従来一般に用いられる冷媒であるＲ２２やＲ４０７Ｃに比べて作動圧力が高くガス密度が大きいという特徴を有するため、気液二相流（所定の乾き度Ｘ）を所定の温度Ｔ１［℃］の飽和圧力から所定の温度Ｔ２［℃］の飽和圧力まで減圧するために必要な減圧弁の弁口径は、Ｒ２２やＲ４０７Ｃを減圧するために必要な弁口径と比較と比べて小さくすることが可能となる。
なお、図９は、気液二相流（乾き度Ｘ）をＴ１［℃］の飽和圧力からＴ２［℃］の飽和圧力まで減圧する場合の流量と弁口径の関係を、Ｒ４０７ＣとＲ４１０Ａで比較したものである。
【００３０】
従って、実施の形態４における冷凍サイクルに封入する冷媒として、Ｒ４１０Ａを用いてなる実施の形態５によれば、従来の冷媒であるＲ２２やＲ４０７Ｃを用いる場合と比較して、室外絞り機構１７の弁口径を小さくすることが可能となるため、省スペース化、および低コスト化の効果が得られる。
【図面の簡単な説明】
【００３１】
【図１】この発明の実施の形態１における畜熱式空気調和装置を示す冷媒回路図である。
【図２】この発明の実施の形態２における畜熱式空気調和装置を示す冷媒回路図である。
【図３】この発明の実施の形態３における畜熱式空気調和装置を示す冷媒回路図である。
【図４】この発明の実施の形態３における蓄熱槽を利用しない暖房運転時の冷媒回路図である。
【図５】この発明の実施の形態３における冷房運転時の冷媒回路図である。
【図６】この発明の実施の形態３における霜取運転時の冷媒回路図である。
【図７】この発明の実施の形態４における畜熱式空気調和装置を示す冷媒回路図である。
【図８】この発明の実施の形態４における蓄熱槽を利用した暖房運転時の圧力−エンタルピ線図である。
【図９】この発明の実施の形態５における冷媒流量と弁口径との関係をＲ４０７ＣとＲ４１０Ａとで比較した特性図である。
【符号の説明】
【００３２】
１  室外機      ２  蓄熱槽      ３  室内機      ４  圧縮機      ５  四方切換弁      ６  室外熱交換器    ７  蓄熱槽熱交換器    ８  蓄熱媒体    ９  室内熱交換器      １０  室内絞り機構    １１  バイパス配管  １２  バイパス弁  １３  熱交換器弁      １４  三方切換弁    １５四方切換弁    １６  逆止弁    １７  室外絞り機構。
【図１】
2005042980.tif 000003
【図２】
2005042980.tif 000004
【図３】
2005042980.tif 000005
【図４】
2005042980.tif 000006
【図５】
2005042980.tif 000007
【図６】
2005042980.tif 000008
【図７】
2005042980.tif 000009
【図８】
2005042980.tif 000010
【図９】
2005042980.tif 000011